(57)【要約】【課題】容易で作業効率の良い浴室ユニットの施工方法を提供する。【解決手段】浴室と少なくとも一の隣室１８との間仕切り壁１３の骨組み１５を建て込む前の段階で、浴室ユニットの天井パネル５を前記骨組み１５の建て込みスペース１６を介して浴室設置スペース１に搬入する。この後、天井パネル５を索１７で吊り上げ、この索１７を躯体側に取り付けて天井パネル５を浴室設置スペース１の上部に吊り保持する作業と、浴室ユニットの壁パネル３を建て込み、前記索１７を躯体側から外して天井パネル５を前記建て込んだ壁パネル３上に設置する作業とを順に行う。【選択図】図１
2011111777.tif 000002
【特許請求の範囲】
【請求項１】
浴室と少なくとも一の隣室との間仕切り壁の骨組みを建て込む前の段階で、浴室ユニットの天井パネルを前記骨組みの建て込みスペースを介して浴室設置スペースに搬入し、この後、天井パネルを索で吊り上げ、この索を躯体側に取り付けて天井パネルを浴室設置スペースの上部に吊り保持する作業と、浴室ユニットの壁パネルを建て込み、前記索を躯体側から外して天井パネルを前記建て込んだ壁パネル上に設置する作業とを順に行うことを特徴とする浴室ユニットの施工方法。
【発明の詳細な説明】
【技術分野】
【０００１】
本発明は浴室を構成する浴室ユニットの施工方法に関する。
【背景技術】
【０００２】
従来から例えば特許文献１のように躯体内に形成されたスペースに浴室ユニットを設置して浴室を形成することが広く行われている。
【先行技術文献】
【特許文献】
【０００３】
【特許文献１】特開２００６−１７７００４号公報
【発明の概要】
【発明が解決しようとする課題】
【０００４】
ところで一般的な浴室ユニットの施工は、躯体床に設置した床パン上に四囲の壁パネルを立設し、これら壁パネル上に天井パネルを設置することで行う。しかし天井パネルを先に立設した壁パネルの上方に移動する際には、壁パネルや、浴室と隣室とを仕切る間仕切り壁の骨組み等が邪魔になり、また、天井パネルが壁パネルや建物内装面に当たって傷付けたりする恐れもあって、煩雑な作業が強いられる可能性がある。
【０００５】
特に天井パネルのサイズが一枚で浴室の天井全体を構成するもののように大きい場合には、壁パネルの上方に天井パネルを移動する作業が非常に困難なものとなる。このため、例えば間仕切り壁の骨組みの建て込みを行う前に、該骨組みの建て込みスペースを介して浴室設置スペースに浴室ユニットの構成部材を搬入して浴室ユニットの施工が行われる場合があるのだが、このようにすると建築業者によって行われる間仕切り壁の骨組みを建て込む作業を設備業者により天井パネルが壁パネル上に設置されるまで行うことができず、作業効率が良くない。
【０００６】
ここで前記壁パネルや間仕切り壁の骨組みを建て込む前に天井パネルを垂木等に打ちつける等して浴室設置スペースの上部に保持し、この後、壁パネルを立設してこの壁パネル上に天井パネルを設置することが考えられる。しかし、このように天井パネルを垂木等に打ちつけて浴室設置スペースの上部に保持する作業は、例えば作業者の一人が天井パネルを支持した状態でもう一人の作業者が天井パネルを垂木に打ちつけるといった煩雑な作業が必要となってしまう。
【０００７】
本発明は上記事情に鑑みてなされたものであって、容易で作業効率の良い浴室ユニットの施工方法を提供することを課題とする。
【課題を解決するための手段】
【０００８】
上記課題を解決するために本発明では以下のように浴室ユニットの施工を行う。浴室と少なくとも一の隣室１８との間仕切り壁１３の骨組み１５を建て込む前の段階で、浴室ユニットの天井パネル５を前記骨組み１５の建て込みスペース１６を介して浴室設置スペース１に搬入する。この後、天井パネル５を索１７で吊り上げ、この索１７を躯体側に取り付けて天井パネル５を浴室設置スペース１の上部に吊り保持する作業と、浴室ユニットの壁パネル３を建て込み、前記索１７を躯体側から外して天井パネル５を前記建て込んだ壁パネル３上に設置する作業とを順に行う。
【０００９】
この施工方法により、間仕切り壁１３の骨組み１５を建て込む前の段階で、天井パネル５の浴室設置スペース１への搬入を比較的広い骨組み１５の建て込みスペース１６を介して容易に行うことができる。また、骨組み１５を建て込む前に天井パネル５を浴室設置スペース１に搬入することで、以後に行われる壁パネル３の建て込みや天井パネル５の設置等の浴室ユニットの施工を間仕切り壁１３の骨組み１５の建て込みとは独立して行うことができて、作業効率が良い。
【発明の効果】
【００１０】
本発明にあっては、天井パネルを浴室設置スペースに容易に搬入することができ、壁パネルの建て込みや天井パネルの設置等の浴室ユニットの施工を間仕切り壁の骨組みの建て込みとは独立して行うことができて、作業効率を良くすることができる。
【図面の簡単な説明】
【００１１】
【図１】本発明の実施形態の一例を示し、天井パネルの吊り上げ作業を示す説明図である。
【図２】同上の天井パネルを吊り上げるために用いられる滑車を躯体に取り付けた状態を示す斜視図である。
【図３】同上の天井パネルに索を掛けた状態を示す斜視図である。
【図４】同上の天井パネルを壁パネル上に設置する直前の状態を示す断面図である。
【図５】同上の天井パネルを浴室設置スペース上部に吊り下げた状態を示す水平断面図である。
【図６】同上の間仕切り壁を建て込んだ状態を示す水平断面図である。
【図７】同上の壁パネルを立設した状態を示す水平断面図である。
【発明を実施するための形態】
【００１２】
以下、本発明を添付図面に基づいて説明する。本実施形態の浴室ユニットは躯体内に形成された浴室設置スペース１に設置されるものである。
【００１３】
浴室設置スペース１は図５に示されるように躯体として立設された柱１０や、柱１０間に架設された梁１１（図２参照）、床スラブ等からなる躯体床１２によって囲まれてなる平面視矩形状のスペースである。
【００１４】
浴室ユニットは、図７のように浴室床を構成する床パン２と、床パン２上に立設されて浴室壁を構成する四方の壁パネル３と、壁パネル３上に設置されて天井を構成する天井パネル５と、床パン２上又は躯体床１２上に設置される浴槽６を備えている。
【００１５】
天井パネル５は鋼板や合成樹脂等からなり、平面視で浴室の内寸よりも大きく一枚で浴室の天井全体を構成するものである。天井パネル５には天井裏を点検するための点検口９（図３参照）が形成されている。点検口９は天井パネル５に着脱自在に取り付けられる点検蓋（図示せず）によって閉塞される。
【００１６】
床パン２には、洗い場と浴槽設置部の夫々を別体のパンで構成したもの、若しくは洗い場と浴槽設置部とを一体のパンで構成したもの、又は洗い場と浴槽設置部のうち洗い場のみを構成するもの等が用いられる。壁パネル３には、一枚で平面視矩形状の浴室の一辺の壁全体を構成するもの、又は複数枚で浴室の一辺の壁全体を構成するものが用いられる。また、洗い場を構成する床パン２の任意の外縁部には壁パネル３に代えて開閉自在の浴室ドア８が設けられる浴室ドア枠７が立設される。
【００１７】
浴室ユニットを浴室設置スペース１に設置するには、まず浴室と隣室とを仕切る間仕切り壁１３の骨組み１５が建て込まれる前の段階において、天井パネル５を浴室設置スペース１に搬入する。
【００１８】
前記搬入作業では、間柱１５ａで構成される骨組み１５の建て込みスペース１６（すなわち浴室設置スペース１の隣室１８側の一面開口部）を介して隣室１８から天井パネル５を浴室設置スペース１に搬入する。なお、この場合の隣室１８とは、浴室ドア枠７を介して浴室に通じる脱衣室等の室であってもよいし、これ以外の室であってもよく、すなわち天井パネル５を浴室設置スペース１に搬入する作業は浴室と少なくとも一の隣室１８との間仕切り壁１３の骨組み１５を建て込む前に行われるものであればよい。
【００１９】
次に図５に示されるように天井パネル５を浴室設置スペース１の上部に吊り保持し（吊保持作業）、図６のように骨組み１５を建て込み（建込作業）、この後、図７のように壁パネル３を建て込んでこれら壁パネル３上に天井パネル５を設置する（設置作業）。なお、図５〜７は天井パネル５よりも下方の断面図を示すものであるが、天井パネル５の水平位置を表すために天井パネル５は二点鎖線で図示されている。
【００２０】
前記吊保持作業では図１のように躯体に取り付けられた滑車２０とこれに掛けられた索１７が用いられる。滑車２０は定滑車であり、図２のように躯体となる天井パネル５の施工予定箇所の上方に位置する梁１１の下面に取り付けられる。滑車２０はビス等の固着具１９により取り付けられ、使用後に固着具１９を外して梁１１から取り外すことで再利用できるようになっている。なお、図示例では索１７を一個の滑車２０に掛けているが、複数の滑車２０に掛けてもよい。
【００２１】
索１７はロープや鎖等からなる。索１７の一端側は分岐して図３に示されるように天井パネル５に着脱自在に取り付けられた複数の連結具２１に連結されて天井パネル５を支持するものであり、図示例では天井パネル５の四隅部分に索１７が連結されている。
【００２２】
各連結具２１は、図４のように天井パネル５の外縁部に取り付けられる取付部２２と、索１７が結び付けられる結着部２３を備えている。取付部２２は断面略Ｕ字状に形成されて上方に開口する差込溝２５を有している。取付部２２に天井パネル５を取り付けるには、天井パネル５の外縁に垂設された縁片部２６を差込溝２５に差し込み、この縁片部２６をボルト等の固着具２７により取付部２２に固定する。連結具２１に取り付けられた縁片部２６は固着具２７を外すことで容易に連結具２１から取り外すことができ、連結具２１は再利用可能となっている。結着部２３は取付状態で天井パネル５よりも上方に突出し、分岐した索１７の端部が結び付けられる。
【００２３】
吊保持作業では、例えば図１の矢印に示すように索１７の天井パネル５と反対側部分を引っ張ることで、浴室設置スペース１に搬入された天井パネル５を吊り上げ、この後、索１７を柱１０、間柱１５ａ、梁１１等の躯体に取り付けて、天井パネル５を設置予定箇所よりも上方に吊り保持する。
【００２４】
なお前記天井パネル５を索１７で吊り保持する際には、図３のように天井パネル５の上面に別途設けられた引掛部２８に索１７の分岐部２９よりも天井パネル５側の部分を引っ掛けてもよい。このようにすると索１７の分岐部２９の天井パネル５からの高さＨ（図１参照）を低くして、浴室設置スペース１の上方に位置する梁１１等の躯体が低い場合にも天井パネル５を壁パネル３の設置予定箇所よりも高い位置に配置することが可能となる。また、天井パネル５を索１７により吊り上げる際には、索１７の牽引側（天井パネル５とは反対側）を天井パネル５上方から点検口９を通して天井パネル５下方に引き出し、これを引っ張ることで天井パネル５を吊り上げてもかまわない。
【００２５】
建込作業では図６のように浴室と隣室１８との間仕切り壁１３の骨組み１５を建て込む。図６中符号３０は骨組み１５の隣室１８側に取り付けられた石膏ボードからなる内装下地であり、符号３１は浴室ドア枠７と連結されて浴室の出入口を構成する開口枠である。本例では骨組み１５、内装下地３０、及び開口枠３１等の施工は建込作業において行われるが、いずれも以下の設置作業と平行して又は設置作業後に行われてもよい。
【００２６】
そして設置作業では、まず図７のように浴室設置スペース１の天井パネル５下方部において、床パン２を躯体床上に設置し、浴槽６を設置し、また床パン２上に四方の壁パネル３と浴室ドア枠７を建て込む。なお、ここで設置される床パン２、浴槽６、壁パネル３等は、骨組み１５の建て込み前に浴室設置スペース１に搬入されてもよいし、骨組み１５の建て込み後に開口枠３１等を通して浴室設置スペース１に搬入されてもよい。また、床パン２の施工は前記建込作業よりも前に或いは平行して行われるものであってもよい。
【００２７】
次に索１７を躯体側から外して天井パネル５を下降させ、天井パネル５から連結具２１を外して四方の壁パネル３上に天井パネル５を設置する。天井パネル５の設置後には、点検口９を介して躯体側に取り付けられた滑車２０や索１７が取り外され、天井パネル５から外した連結具２１と共に再利用される。なお本例では浴室の四方の壁パネル３を立設した後、この上に天井パネル５を設置したが、例えば三方の壁パネル３を立設し、この上に天井パネル５を設置し、この後、残った壁パネル３を設置する等してもよい。
【００２８】
以上説明した本実施形態の浴室ユニットの施工方法にあっては、間仕切り壁１３の骨組み１５を建て込む前の段階で、天井パネル５の浴室設置スペース１への搬入を比較的広い骨組み１５の建て込みスペース１６を介して容易に行うことができる。また骨組み１５を建て込む前に天井パネル５を浴室設置スペース１に搬入することで、以後に行われる壁パネル３の建て込みや天井パネル５の設置等の浴室ユニットの施工を間仕切り壁１３の骨組み１５の建て込みとは独立して行うことができる。また、一般的には骨組み１５、内装下地３０、内装面等の施工は主に建築業者（内装業者）によって行われ、また、床パン２、浴槽６、壁パネル３、天井パネル５等の施工は主に建築業者とは異なる設備業者によって行われるものであるが、本発明にあっては、建築業者が骨組み１５を建て込む前に天井パネル５を浴室設置スペース１に搬入するだけで、設備業者による浴室ユニットの施工が完了する前に骨組み１５、内装下地３０、内装面等の施工を行うことが可能となり、この場合、建築業者による施工と設備業者による施工を同時進行することも可能となる。したがって浴室ユニットを作業効率良く施工することができる。また壁パネル３を建て込む際には、浴室設置スペース１に搬入された天井パネル５を索１７で吊り上げてこの索１７を躯体側に取り付けることで天井パネル５を浴室設置スペース１の上部に吊り保持するので、天井パネル５を一人の作業者によって浴室設置スペース１の上部に吊り保持することができ、この点でも作業効率が良い。
【符号の説明】
【００２９】
１  浴室設置スペース
５  天井パネル
１３  間仕切り壁
１５  骨組み
１６  建て込みスペース
１７  索
１８  隣室
【図１】
2011111777.tif 000003
【図２】
2011111777.tif 000004
【図３】
2011111777.tif 000005
【図４】
2011111777.tif 000006
【図５】
2011111777.tif 000007
【図６】
2011111777.tif 000008
【図７】
2011111777.tif 000009